(57)【要約】【課題】異なる径の電線に対応し、端子金具からの電線の抜けと、ハウジングからの端子金具の抜けと、を抑制することができるコネクタを提供する。【解決手段】端子金具２の被覆加締め部２１が間隙部Ｓを形成しつつ電線Ｗを加締め、保持部３２がこの間隙部Ｓに挿入される挿入部３２２を有することから、異なる径の電線に対応しつつ、電線Ｗの被覆加締め部２１からの抜けを抑制することができる。保持部３２によって被覆加締め部２１をハウジング本体３１との間に挟み込むことにより、端子金具２のハウジング３からの抜けを抑制することができる。従って、異なる径の電線Ｗに対応し、端子金具２からの電線Ｗの抜けと、ハウジング３からの端子金具２の抜けと、を抑制することができる。【選択図】図４
2016213134.tif 000002
【特許請求の範囲】
【請求項１】
電線を加締める加締め部を有する端子金具と、
前記端子金具を収容するハウジングと、を備え、
前記加締め部は、前記電線との間に間隙部を形成しつつ該電線を加締め、
前記ハウジングは、前記電線の長手方向に沿って前記端子金具が挿入されるハウジング本体と、前記加締め部を前記ハウジング本体との間に挟み込む保持部と、を有し、
前記保持部は、前記長手方向に沿って前記間隙部に挿入される挿入部を有することを特徴とするコネクタ。
【請求項２】
前記挿入部は、先端に向かうほど細くなるテーパ形状を有していることを特徴とする請求項１に記載のコネクタ。
【請求項３】
前記加締め部は、前記電線の外周に沿って断面半円形状に屈曲される屈曲部と、前記屈曲部の両端のそれぞれに連続した一対の加締め片と、を有し、
前記一対の加締め片は、前記電線を加締めた際に互いに平行になるように前記両端のそれぞれから延びる平行部と、該平行部から折れ曲がって互いに近づくように延びる近接部と、を有することを特徴とする請求項１又は２に記載のコネクタ。
【請求項４】
前記ハウジングは、前記ハウジング本体と前記保持部とが一体に形成されるとともに、該ハウジング本体と該保持部との間に変形部を有することを特徴とする請求項１〜３のいずれか１項に記載のコネクタ。
【発明の詳細な説明】
【技術分野】
【０００１】
本発明は、端子金具とハウジングとを備えたコネクタに関する。
【背景技術】
【０００２】
従来、圧接端子（端子金具）と、圧接端子を収容するコネクタハウジング（ハウジング本体）と、コネクタハウジングに取り付けられて圧接端子を覆うカバー（保持部）と、を備えたコネクタが提案されている（例えば、特許文献１参照）。特許文献１に記載されたコネクタでは、電線が圧接端子の加締め部によって加締められ、この加締め部を押さえつける押圧突起がカバーに設けられており、圧接端子がコネクタハウジングから抜けにくいようになっている。
【先行技術文献】
【特許文献】
【０００３】
【特許文献１】特開平１１−１２６６３６号公報
【発明の概要】
【発明が解決しようとする課題】
【０００４】
しかしながら、特許文献１に記載されたような従来のコネクタでは、図７（Ａ）に示すように径の大きい（太い）電線Ｗ１は圧接端子の加締め部１００によって密着するように加締められるものの、図７（Ｂ）に示すように径の小さい（細い）電線Ｗ２では、加締め部１００によって加締められた際に隙間（二点鎖線で図示）が形成され、圧接端子から電線が抜けやすくなってしまう。そこで、加締め部の寸法を電線に合わせて小さくし、電線を抜けにくくする構成が考えられる。しかしながら、このような構成では、カバーの押圧突起によって加締め部を押さえつけにくくなってしまい、圧接端子がコネクタハウジングから抜けやすくなってしまう。従って、従来のコネクタでは、異なる径の電線に対応することが困難であった。
【０００５】
本発明の目的は、異なる径の電線に対応し、端子金具からの電線の抜けと、ハウジングからの端子金具の抜けと、を抑制することができるコネクタを提供することにある。
【課題を解決するための手段】
【０００６】
前記課題を解決し目的を達成するために、請求項１に記載された発明は、電線を加締める加締め部を有する端子金具と、前記端子金具を収容するハウジングと、を備え、前記加締め部は、前記電線との間に間隙部を形成しつつ該電線を加締め、前記ハウジングは、前記電線の長手方向に沿って前記端子金具が挿入されるハウジング本体と、前記加締め部を前記ハウジング本体との間に挟み込む保持部と、を有し、前記保持部は、前記長手方向に沿って前記間隙部に挿入される挿入部を有することを特徴とするコネクタである。
【０００７】
請求項２に記載された発明は、請求項１に記載の発明において、前記挿入部は、先端に向かうほど細くなるテーパ形状を有していることを特徴とするものである。
【０００８】
請求項３に記載された発明は、請求項１又は２に記載の発明において、前記加締め部は、前記電線の外周に沿って断面半円形状に屈曲される屈曲部と、前記屈曲部の両端のそれぞれに連続した一対の加締め片と、を有し、前記一対の加締め片は、前記電線を加締めた際に互いに平行になるように前記両端のそれぞれから延びる平行部と、該平行部から折れ曲がって互いに近づくように延びる近接部と、を有することを特徴とするものである。
【０００９】
請求項４に記載された発明は、請求項１〜３に記載の発明において、前記ハウジングは、前記ハウジング本体と前記保持部とが一体に形成されるとともに、該ハウジング本体と該保持部との間に変形部を有することを特徴とするものである。
【発明の効果】
【００１０】
請求項１に記載された発明によれば、端子金具の加締め部が間隙部を形成しつつ電線を加締め、保持部がこの間隙部に挿入される挿入部を有することから、挿入部が間隙部に挿入されることで電線と加締め部とが密着し、電線の加締め部からの抜けを抑制することができる。即ち、径の小さい電線を用いる場合には、間隙部を埋めるように挿入部が挿入されることで電線と加締め部とが密着し、径の大きい電線を用いる場合には、電線を圧縮しつつ挿入部が挿入（圧入）されることで電線と加締め部とが密着する。このとき、電線の径に合わせて加締め部の寸法を変更する必要がなく、保持部によって加締め部をハウジング本体との間に挟み込むことができ、端子金具のハウジングからの抜けを抑制することができる。従って、異なる径の電線に対応し、端子金具からの電線の抜けと、ハウジングからの端子金具の抜けと、を抑制することができる。
【００１１】
請求項２に記載された発明によれば、挿入部がテーパ形状を有していることで、電線の径が大きく間隙部が小さい場合でも、挿入部を間隙部に圧入しやすくすることができる。
【００１２】
請求項３に記載された発明によれば、加締め部の一対の加締め片が平行部と近接部とを有することで、加締め部が電線全体を包み込むように加締める構成と比較して、間隙部を形成しやすくすることができる。
【００１３】
請求項４に記載された発明によれば、ハウジング本体と保持部とが一体に形成されていることで、部品点数を削減することができる。また、ハウジング本体と保持部との間に変形部が形成されていることで、端子金具をハウジング本体に挿入する際には、変形部を変形させて保持部を干渉しない位置に位置づけ、端子金具の挿入後には、保持部によって端子金具を挟み込むことができる。
【図面の簡単な説明】
【００１４】
【図１】本発明の実施形態に係るコネクタ全体を示す断面図である。
【図２】前記コネクタの端子金具を示す斜視図である。
【図３】前記端子金具によって電線が加締められた様子を示す断面図である。
【図４】前記コネクタのハウジングに前記端子金具が挿入された様子を示す断面図である。
【図５】径の大きい電線を用いた場合の前記コネクタの要部を示す背面図である。
【図６】径の小さい電線を用いた場合の前記コネクタの要部を示す背面図である。
【図７】従来のコネクタの端子金具によって電線が加締められた様子を示す断面図である。
【発明を実施するための形態】
【００１５】
以下、本発明の実施形態を図面に基づいて説明する。本実施形態のコネクタ１は、図１に示すように、電線Ｗを加締める端子金具２と、端子金具２を収容するハウジング３と、を備え、図１の左側において図示しない相手側のコネクタと嵌合し、相手側のコネクタの導体部と電線Ｗの導体部Ｅとを電気的に接続するものである。尚、図１は、電線Ｗの長手方向に沿った断面図であり、端子金具２はこの長手方向に沿った方向（図１の右から左へ向かう方向）を挿入方向としてハウジング３に挿入される。
【００１６】
端子金具２は、図２（Ａ）（Ｂ）に示すように、例えば打ち抜き加工された板金が曲げ加工されることにより組み立てられる。端子金具２は、電線Ｗの絶縁被覆Ｉを加締める加締め部としての被覆加締め部２１と、電線Ｗの導体部Ｅを加締める導体加締め部２２と、相手側のコネクタの導体部と電気的に接続される端子部２３と、を有し、被覆加締め部２１と導体加締め部２２と端子部２３とがこの順番に並べられる。
【００１７】
被覆加締め部２１は、中央の屈曲部２１１と、屈曲部２１１の両端のそれぞれに連続した一対の加締め片２１２と、を有する。被覆加締め部２１は、図３に示すように電線Ｗを加締め、電線Ｗとの間に間隙部Ｓが形成される。尚、図３（Ａ）は径の大きい電線を用いた様子を示し、図３（Ｂ）は径の小さい電線を用いた様子を示す。屈曲部２１１が電線の外周に沿って断面半円形状に屈曲され、一対の加締め片２１２が、屈曲部２１１の両端のそれぞれから互いに略平行に延びる平行部２１２Ａと、平行部２１２Ａから折れ曲がって互いに近づくように延びる近接部２１２Ｂと、互いに圧接される圧接部２１２Ｃと、を有する。
【００１８】
導体加締め部２２は、電線Ｗの導体部Ｅを包み込むように加締め、端子金具２と導体部Ｅとが電気的に接続される。
【００１９】
端子部２３は、雌端子であって、雄端子を収容する筒状部２３１と、雄端子を圧接保持するためのバネ部２３２と、ハウジング３に係止される被係止部２３３と、を有する。尚、端子部２３は雄端子であってもよい。
【００２０】
ハウジング３は、例えば絶縁性の合成樹脂によって全体が一体に形成され、電線Ｗの長手方向に沿って端子金具２が挿入されるハウジング本体３１と、被覆加締め部２１をハウジング本体との間に挟み込む保持部３２と、ハウジング本体３１と保持部３２との間に形成された変形部３３と、を有する。
【００２１】
ハウジング本体３１には、端子金具２を収容する複数の端子収容室３１Ａが形成されている。本実施形態では、例えば図１の紙面の奥行き方向に２つの端子収容室３１Ａが並べられているものとするが、端子収容室３１Ａの数や配置は任意であり、１つの端子収容室３１Ａのみが形成されていてもよい。端子収容室３１Ａの内壁には、端子金具２の抜けを抑制するための係止部３１１が形成されている。係止部３１１は、図１の上下方向に弾性変形可能に構成され、長手方向に対して傾斜した傾斜部３１１Ａと、長手方向と略直交する面に沿って延びる当接面部３１１Ｂと、を有する。端子金具２が挿入されると、筒状部２３１の上側の壁部が傾斜部３１１Ａに当接することによって係止部３１１が上方に弾性変形し、図４（Ａ）に示すように端子金具２の挿入が完了すると、係止部３１１が元の位置に復帰する。このとき、当接面部３１１Ｂと被係止部２３３とが長手方向から互いに当接し、係止部３１１が被係止部３１２を係止する。
【００２２】
保持部３２は、変形部３３によってハウジング本体３１に連結された本体部３２１と、本体部３２１から突出した挿入部３２２と、を有し、ハウジング本体３１と保持部３２との間に、被覆加締め部２１の一対の加締め片２１２が長手方向から挟み込まれる。本体部３２１には、ハウジング本体３１によって係止される図示しない被係止部が設けられているものとする。また、１つの本体部３２１に対し、端子収容室３１Ａと同数（本実施形態では２）の挿入部３２２が設けられている。
【００２３】
挿入部３２２は、図４（Ｂ）に示すように、長手方向に沿って間隙部Ｓに挿入される。また、挿入部３２２は、先端に向かうほど細くなるテーパ形状を有しており、即ち、先端に傾斜部３２２Ａを有している。本実施形態では、挿入部３２２は、突出方向が長手方向に沿うように位置づけられた際に、挿入部３２２の上下方向寸法が先端に向かうにしたがって徐々に小さくなるようなテーパ形状を有するものとするが、突出方向に交差する任意の方向の寸法が徐々に小さくなるようなテーパ形状を有していてもよいし、例えば円錐状のテーパ形状を有していてもよい。
【００２４】
変形部３３は、肉薄に形成されていることにより、少なくとも図４（Ａ）に示す状態から図４（Ｂ）に示す状態まで、保持部３２の位置を変更することができるようになっている。即ち、保持部３２を端子収容室３１Ａの開口部から退避させるとともに、保持部３２の挿入部３２２を間隙部Ｓに挿入させることができるようになっている。
【００２５】
以下、コネクタ１の組み立て方法について説明する。まず、図２（Ａ）に示すような板状の端子金具２を曲げ加工して図２（Ｂ）に示すように組み立てるとともに、電線Ｗの絶縁被覆Ｉに被覆加締め部２１を加締め、導体部Ｅに導体加締め部２２を加締める。このとき、図３に示すように、電線Ｅの径に関わらず、被覆加締め部２１が略一定の形状となるように加締め、電線の径が大きいほど間隙部Ｓが小さくなるようにする。
【００２６】
次に、ハウジング本体３１の端子収容室３１Ａに対し、端子金具２を長手方向に沿って近づけ、図４（Ａ）に示すように挿入する。このとき、保持部３２が端子金具２と干渉しないように、変形部３３を変形させて保持部３２を端子収容室３１Ａの開口部から退避させる。図４（Ａ）に示すように端子金具２の挿入が完了したら、変形部３３を変形させ、保持部３２の挿入部３２２を長手方向に沿うように間隙部Ｓに挿入していく。このとき、間隙部Ｓが挿入部３２２に対して小さい場合には、挿入部３２２を圧入する。図４（Ｂ）に示すように挿入部３２２の挿入が完了し、本体部３２１がハウジング本体３１によって係止されたら、コネクタ１の組み立てが完了する。
【００２７】
ここで、径の大きい電線を用いた場合と、径の小さい電線を用いた場合と、における間隙部Ｓの大きさ、及び、挿入部３２２が間隙部Ｓに挿入される様子について説明する。
【００２８】
まず、径の大きい電線が用いられる場合、図３（Ａ）に示すように被覆加締め部２１が加締められ、比較的小さい間隙部Ｓが形成される。尚、端子金具２が対応可能な電線Ｗの最大径は、半円形状の屈曲部２１１の内径と略等しい。また、端子金具２は、図５（Ａ）に示すように端子収容室３１Ａに収容される。間隙部Ｓに挿入部３２２が挿入（圧入）されると、図５（Ｂ）に示すように、電線Ｗが上下方向に圧縮され、電線Ｗと被覆加締め部２１（特に屈曲部２１１）とが密着する。
【００２９】
一方、径の小さい電線が用いられる場合、図３（Ｂ）に示すように被覆加締め部２１が加締められ、比較的大きい間隙部Ｓが形成される。尚、端子金具２が対応可能な電線Ｗの最小径は、形成される間隙部Ｓの上下方向寸法と、間隙部Ｓに挿入される挿入部３２２の上下方向寸法と、が略等しくなるような径である。また、端子金具２は、図６（Ａ）に示すように端子収容室３１Ａに収容される。間隙部Ｓに挿入部３２２が挿入されると、図６（Ｂ）に示すように、電線Ｗはほとんど圧縮されず、挿入部３２２によって間隙部Ｓが埋められ、電線Ｗと被覆加締め部２１（特に屈曲部２１１）とが密着する。
【００３０】
このような本実施形態によれば、以下のような効果がある。即ち、端子金具２の被覆加締め部２１が間隙部Ｓを形成しつつ電線Ｗを加締め、保持部３２がこの間隙部Ｓに挿入される挿入部３２２を有することから、異なる径の電線に対応しつつ、電線Ｗの被覆加締め部２１からの抜けを抑制することができる。また、保持部３２によって被覆加締め部２１をハウジング本体３１との間に挟み込むことにより、端子金具２のハウジング３からの抜けを抑制することができる。従って、異なる径の電線Ｗに対応し、端子金具２からの電線Ｗの抜けと、ハウジング３からの端子金具２の抜けと、を抑制することができる。
【００３１】
さらに、挿入部３２２がテーパ形状を有していることで、電線Ｗの径が大きく間隙部Ｓが小さい場合でも、挿入部３２２を間隙部Ｓに圧入しやすくすることができる。
【００３２】
さらに、被覆加締め部２１の一対の加締め片２１２が平行部２１２Ａと近接部２１２Ｂとを有することで、加締め部が電線Ｗ全体を包み込むように加締める構成と比較して、間隙部Ｓを形成しやすくすることができる。
【００３３】
さらに、ハウジング本体３１と保持部３２とが一体に形成されていることで、部品点数を削減することができる。また、ハウジング本体３１と保持部３２との間に変形部３３が形成されていることで、端子金具２をハウジング本体３１に挿入する際に保持部３２を端子収容室３１Ａの開口部から退避させ、端子金具２の挿入後に保持部３２によって端子金具２を挟み込むことができる。
【００３４】
さらに、１つの本体部３２１に対し、端子収容室３１Ａと同数の挿入部３２２が設けられていることで、各端子収容室３１Ａに収容された端子金具２の間隙部Ｓのそれぞれに対し、一度の挿入動作で挿入部３２２を挿入することができ、組み立てに要する工数を削減することができる。
【００３５】
なお、本発明は、前記実施形態に限定されるものではなく、本発明の目的が達成できる他の構成等を含み、以下に示すような変形等も本発明に含まれる。
【００３６】
例えば、前記実施形態では、挿入部３２２がテーパ形状を有しているものとしたが、挿入部はテーパ形状を有していなくてもよい。例えば、小さい間隙部Ｓに挿入部を挿入する際に、例えば治具によって電線Ｗを圧縮して間隙部Ｓを拡大しておき、挿入部の挿入完了後に電線Ｗが元の形状に復元しようとして挿入部及び被覆加締め部２１に密着する構成であってもよい。
【００３７】
また、前記実施形態では、被覆加締め部２１が屈曲部２１１と一対の加締め片２１２とを有し、加締め片２１２が平行部２１２Ａと近接部２１２Ｂとを有するものとしたが、被覆加締め部２１は、電線Ｗとの間に間隙部Ｓが形成されるような適宜な形状を有していればよい。また、加締められた際の被覆加締め部２１の形状は、ハウジング３１と保持部３２との間に挟み込むことができるような形状であればよく、電線Ｗの径に応じて多少異なっていてもよい。
【００３８】
また、前記実施形態では、ハウジング本体３１と保持部３２とが一体に形成されているものとしたが、ハウジング本体と保持部とが別体に形成されていてもよい。このような構成によれば、変形部を変形させる必要がなく、挿入部を間隙部に挿入する際に保持部を取り扱いやすくすることができる。
【００３９】
また、前記実施形態では、加締め部としての被覆加締め部２１と電線Ｗとの間に間隙部Ｓが形成され、被覆加締め部２１がハウジング本体３１と保持部３２との間に挟み込まれるものとしたが、導体加締め部２２と電線Ｗの導体Ｅとの間に間隙部Ｓが形成され、導体加締め部２２がハウジング本体３１と保持部３２との間に挟み込まれる、即ち、導体加締め部２２が加締め部として機能してもよい。
【００４０】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４１】
１          コネクタ
２          端子金具
３          ハウジング
２１        被覆加締め部（加締め部）
３１        ハウジング本体
３２        保持部
３３        変形部
２１１      屈曲部
２１２      加締め片
２１２Ａ    平行部
２１２Ｂ    近接部
３２２      挿入部
Ｓ          間隙部
Ｗ          電線
【図１】
2016213134.tif 000003
【図２】
2016213134.tif 000004
【図３】
2016213134.tif 000005
【図４】
2016213134.tif 000006
【図５】
2016213134.tif 000007
【図６】
2016213134.tif 000008
【図７】
2016213134.tif 000009